(57)【要約】
【課題】　本体と連通するカバー部材を備える新規なプラスチック容器を提供する。
【解決手段】　本考案は、本体１、蓋３および硬質の材料で作られ本体に一体に形成されたカバー部材２を含む、化粧品を入れるプラスチック容器を提供する。先行技術と比べて、本考案は、大容量であり、少ない材料で作られる。本考案は、新規なデザインを有し、片手で容易に操作できる。
【選択図】　図１
0003099861.tif 000002
【実用新案登録請求の範囲】
【請求項１】
　本体と蓋とを有するプラスチック容器であって、硬質の材料で作られたカバー部材が前記本体と一体に形成され、前記本体は軟質の材料で作られていることを特徴とするカバー部材付プラスチック容器。
【請求項２】
　前記カバー部材は、カバー部材の上側表面から延在され、本体と連通するチューブ状の放出口を備えることを特徴とする請求項１に記載の容器。
【請求項３】
　前記チューブ状の放出口は、蓋の内側から延在された中空の連結部によって受け入れられる錐台の形状をした上部と、その側面に開口部を有することを特徴とする請求項２に記載の容器。
【請求項４】
　蓋とカバー部材との間に連結されたヒンジをさらに備えることを特徴とする請求項１ないし３のいずれかに記載の容器。
【請求項５】
　蓋に配された押しボタンと、カバー部材の上部の２側面に対称的に配された２つのシャフトとをさらに含むことを特徴とする請求項１ないし３のいずれかに記載の容器。
【請求項６】
　蓋の端部に外向きに延在する凸部と、カバー部材の上部側面に該凸部に対応する凹部とをさらに備えることを特徴とする請求項４に記載の容器。
【考案の詳細な説明】
【技術分野】
【０００１】
　本考案は、化粧品等を入れるプラスチック容器、特にカバー部材を備えたプラスチック容器に関する。
【背景技術】
【０００２】
　軟質のプラスチック容器が、従来技術においても化粧品等を入れることを目的として広く使用されてきた。図４を参照するに、軟質のチューブ状容器は、従来、軟質の本体１’と蓋２'とを含んでいる。蓋２'は、一般的には硬質のプラスチックで作られ、柔らかい本体１'は軟質のプラスチックで作られている。一般に、柔らかい本体が射出されて成形された後に、蓋と連結するためには開口部を備えるチューブ状の頭部３'を形成する必要がある。そのような形成工程は比較的複雑で、その結果、生産コストが高くなる。
【０００３】
　さらに、従来技術において、蓋とチューブ状の頭部との間はねじ結合しているため、片手で蓋２'を開けることは困難である。しかしながら、かかる容器は片手で用いることが好まれる。
【考案の開示】
【考案が解決しようとする課題】
【０００４】
　よって、本考案は、本体と連通するカバー部材を備える新規なプラスチック容器を提供するものである。本考案のプラスチック容器は、大容量で、先行技術における欠点を克服して片手で便利に使用される。
【課題を解決するための手段】
【０００５】
　本考案によれば、プラスチック容器は、本体、蓋および硬い材料で作られ本体に一体に形成されるカバー部材を含んでいる。本体は、軟質の材料で作られている。
【０００６】
　より詳しくは、本体と蓋とを有するプラスチック容器であって、硬質の材料で作られたカバー部材が前記本体と一体に形成され、前記本体は軟質の材料で作られていることを特徴とするカバー部材付プラスチック容器である。
【０００７】
　また、前記カバー部材は、カバー部材の上側表面から延在され、本体と連通するチューブ状の放出口を備えることを特徴とする。
【０００８】
　さらに、前記チューブ状の放出口は、蓋の内側から延在された中空の連結部によって受け入れられる錐台の形状をした上部と、その側面に開口部を有することを特徴とする。
【０００９】
　さらに、上記容器は、蓋とカバー部材との間に連結されたヒンジをさらに備えることを特徴とする。
【００１０】
　また、上記容器は、蓋に配された押しボタンと、カバー部材の上部の２側面に対称的に配された２つのシャフトとをさらに含むことを特徴とする。
【００１１】
　さらに、上記容器は、蓋の端部に外向きに延在する凸部と、カバー部材の上部側面に該凸部に対応する凹部とをさらに備えることを特徴とする。
【考案を実施するための最良の形態】
【００１２】
　本考案が、図面を参照しつつさらに詳細に説明される。
【００１３】
　図１、２ａないし２ｃを参照するに、本考案のプラスチック容器の実施形態が図示されている。容器は、軟質のチューブ状本体１と該本体１の上端部で一体に形成されたカバー部材２とを含んでいる。カバー部材は、本体１と直接に連通する内部チャンバ２１を有している。蓋３は、ヒンジ５によってカバー部材２に連結されるべく設けられている。
【００１４】
　カバー部材２は、該カバー部材の上端部２２の上側表面２３の上方に延在させることによって形成されているチューブ状の放出口２４を提供している。チューブ状の放出口２４は、上部に錐台２４１を提供している。開口部２４２が、チューブ状の放出口２４の側面に配されている。これに対応して、中空の接合部３１が、チューブ状の放出口２４を受け入れるべく蓋３の内側に設けられている。
【００１５】
　凸部４が、蓋３の低端部でヒンジ５の反対側に設けられ、蓋３が片手で開けられるようにされている。これに対応して、上端部２２近辺の側面に配された凹部２５が、使用者が片手で容易に蓋３を開けることができるように、親指を受け入れるために設けられている。
【００１６】
　図３ａないし３ｃ、５および６は、本考案の他の実施形態を示している。この実施形態においては、蓋３は、カバー部材２の上端に対称的に配された２つの支持部材（シャフト）６によってカバー部材２に連結されている。押しボタン７が蓋３の一方の側に配され、チューブ状の放出口２４は上端部２２で押しボタン７の反対側に配されている。その結果、蓋３は、支持部材６に沿わせて押しボタン７を調整することにより上下に動かされ得て、チューブ状の放出口２４の側面の開口部２４２を開閉する。
【００１７】
　先行技術と比較して、本考案は、カバー部材２が直接本体１と連通され、少量の材料で作られているので、大容量を有している。本考案は、新規なデザインを有し、片手での操作を容易にする。
【図面の簡単な説明】
【００１８】
【図１】本考案の容器の概略図である。
【図２ａ】図１に示された容器の前面図である。
【図２ｂ】図１に示された容器の側面図である。
【図２ｃ】図１に示された容器の切断面図である。
【図３ａ】本考案の他の容器の前面図である。
【図３ｂ】図３ａに記載の容器の側面図である。
【図３ｃ】図３ａに示された容器の平面図である。
【図４】従来の容器の部分切断面図である。
【図５】図３ａに示された容器が閉じた状態の部分切断面図である。
【図６】図３ａに示された容器が開いた状態の部分切断面図である。
【符号の説明】
【００１９】
　１　　　本体
　２　　　カバー部材
　３　　　蓋
　４　　　凸部
　５　　　ヒンジ
　６　　　支持部材
　７　　　押しボタン
　２２　　上端部
　２３　　表面
　２４　　放出口
　３１　　接合部
　２４１　錐台
　２４２　開口部
【図１】
0003099861.tif 000003
【図２ａ】
0003099861.tif 000004
【図２ｂ】
0003099861.tif 000005
【図２ｃ】
0003099861.tif 000006
【図３ａ】
0003099861.tif 000007
【図３ｂ】
0003099861.tif 000008
【図３ｃ】
0003099861.tif 000009
【図４】
0003099861.tif 000010
【図５】
0003099861.tif 000011
【図６】
0003099861.tif 000012